(57)【要約】【課題】  構造が簡単で、製造コストが削減でき、しかも、表示数字を容易に変更でき、かつ、明瞭な表示を行うことができる表示装置を提供する。【解決手段】  価格等の数字を表示する複数のセグメント開口部２８ａ〜２８ｇを有する基板２６と、セグメント開口部２８ａ〜２８ｇの裏面側に配設された発光体３０と、各セグメント開口部２８ａ〜２８ｇの表面側に着脱可能に配設されてセグメント開口部２８ａ〜２８ｇを閉塞可能にされた複数の蓋体３２とを有し、蓋体３２により発光体３０を露出、被覆して所定の数字を表示する。【選択図】      図３
2005128058.tif 000002
【特許請求の範囲】
【請求項１】
価格等の数字を表示する複数のセグメント開口部を有する基板と、
前記セグメント開口部の裏面側に配設された発光体と、
前記各セグメント開口部の表面側に着脱可能に配設されて前記セグメント開口部を閉塞可能にされた複数の蓋体とを有し、
前記蓋体により前記発光体を露出、被覆して所定の数字を表示することを特徴とする表示装置。
【請求項２】
請求項１において、
前記蓋体はマグネットにて形成され、前記基板の表面に吸着可能にされていることを特徴とする表示装置。
【請求項３】
請求項１または２において、
前記発光体は、ＬＥＤにて形成されていることを特徴とする表示装置。
【発明の詳細な説明】
【技術分野】
【０００１】
本発明は、価格等の数字を表示する表示装置に関し、特に、数字を容易に変更できる表示装置に関する。
【背景技術】
【０００２】
一般に、ガソリンスタンド等には、ガソリンの単価を表示する表示装置が設けられている。
【０００３】
この表示装置は、ガソリンの単価の変動時には、単価の表示額を変動に応じて変える必要がある。
【０００４】
また、この表示装置は、道路上を運転中のドライバが容易に視認できるような明瞭な表示とする必要がある。
【０００５】
そのため、従来では、表示用の箱体内に蛍光灯を取り付け、箱体表面に透光性のある価格表示板を差し込んで背面からの蛍光灯によって価格を照らし出すようにしていた。
【０００６】
しかし、この場合、ガソリンの単価の変動があると、その都度変動した価格表示をした価格表示板と差し替えなければならず、複数の価格表示板を用意しなければならないという問題がある。
【０００７】
そこで、特許文献１に示すような価格表示スタンドが提案されている。
【０００８】
この提案の価格表示スタンドは、地上面に載置する架台と、この架台に立設した表示用箱体とを備え、表示用箱体内に照明器具を装備するとともに、表示用箱体に商品名表示部と商品価格表示部とを設け、商品名表示部を固定式とし、商品価格表示部のみを表示数字変更可能な発光ダイオードで形成することで、価格変動に容易に対応できるようにしている。
【特許文献１】特開平１０−１０９８６号公報
【発明の開示】
【発明が解決しようとする課題】
【０００９】
しかし、この特許文献１に示すような価格表示スタンドにあっては、表示数字変更可能な発光ダイオードを用いているため、表示数字を変更するための制御装置が必要となり、構造が複雑となる上に、製造コストも高くなってしまうという問題がある。
【００１０】
本発明の目的は、構造が簡単で、製造コストが削減でき、しかも、表示数字を容易に変更でき、かつ、明瞭な表示を行うことができる表示装置を提供することにある。
【課題を解決するための手段】
【００１１】
前記目的を達成するため、本発明の表示装置は、価格等の数字を表示する複数のセグメント開口部を有する基板と、
前記セグメント開口部の裏面側に配設された発光体と、
前記各セグメント開口部の表面側に着脱可能に配設されて前記セグメント開口部を閉塞可能にされた複数の蓋体とを有し、
前記蓋体により前記発光体を露出、被覆して所定の数字を表示することを特徴とする。
【００１２】
本発明によれば、蓋体により発光体を露出、被覆して所定の数字を表示するため、表示数字を変更するための制御装置が不要で、構造が簡略化でき、製造コストも削減でき、しかも、蓋体により発光体を露出させたり被覆したりするだけで、表示数字を容易に変更することができ、かつ、発光体の発光により道路上を運転中のドライバが容易に視認できるような明瞭な表示を行うことができる。
【００１３】
本発明においては、前記蓋体はマグネットにて形成され、前記基板の表面に吸着可能にすることができる。
【００１４】
このような構成とすることにより、マグネットの吸着力により容易に蓋体の脱着を行うことができ、表示数字の変更がより容易に行うことができる。
【００１５】
また、本発明においては、前記発光体は、ＬＥＤにて形成することができる。
【００１６】
このような構成とすることにより、蛍光灯などの発光体を用いる場合に比し、照度を高めることができ、より明瞭な表示を行うことができ、かつ、ＬＥＤは発熱量も少なく、蛍光灯のように頻繁に交換する必要もない。
【発明を実施するための最良の形態】
【００１７】
以下、本発明の実施の形態について、図面を参照して詳細に説明する。
【００１８】
図１〜図３は、本発明の一実施の形態に係る表示装置を示す図である。
【００１９】
この表示装置１０は、例えば、ガソリンスタンドの価格表示用看板として用いられるもので、図１に示すように、スタンド１２に支持された状態となっている。
【００２０】
スタンド１２は、ベースプレート１４の下面にキャスター１６が取り付けられて移動自在にされている。
【００２１】
ベースプレート１４上には、２本の支柱１８が立設され、これら支柱１８の上端部に表示装置１０が設けられている。
【００２２】
表示装置１０は、表示用箱体２０の前面に、例えば、３桁の数字を表示する３つの表示部２２が設けられた状態となっている。
【００２３】
各表示部２２は、７つのセグメント２４ａ〜２４ｇの組み合わせで０〜９までのうち１つの数字を形成するようになっている。
【００２４】
具体的には、図２及び図３に示すように、表示用箱体２０の表面に位置する鉄製の基板２６に価格等の数字を表示する複数、例えば７つのセグメント開口部２８ａ〜２８ｇが形成されている。
【００２５】
これらセグメント開口部２８ａ〜２８ｇは、それぞれ同一形状とされている。
【００２６】
各セグメント開口部２８ａ〜２８ｇの裏面側にはそれぞれ発光体３０が配設され、また、各セグメント開口部２８ａ〜２８ｇの表面側には、それぞれ各セグメント開口部２８ａ〜２８ｇを閉塞可能にされた複数の蓋体３２が着脱可能に配設されている。
【００２７】
各発光体３０は、図２に示すように、基板３４に複数のＬＥＤ３６を取り付け、このＬＥＤ３６を合成樹脂３８にて封入した状態となっている。
【００２８】
これら複数の発光体３０は、表示用箱体２０内で安定器４０へと接続され、この安定器４０からリレー４２を介し外部のスイッチ４４へと接続され、このスイッチ４４に電源コード４６が接続されるようになっている。
【００２９】
この発光体３０の合成樹脂３８は、基板２６と異なる色、例えば、基板２６の表面を黒色、合成樹脂３８を黄色や朱色として発光表示を行い、視認しやすい状態としている。
【００３０】
また、このＬＥＤ３６を用いることにより、蛍光灯などの発光体を用いる場合に比し、照度を高めることができ、より明瞭な表示を行うことができ、かつ、ＬＥＤ３６は発熱量も少なく、蛍光灯のように頻繁に交換する必要もない。
【００３１】
さらに、リレー４２によって、発光体３０を点滅させて表示することができるようになっている。
【００３２】
蓋体３２は、全体がマグネットにて形成され、基板２６の表面に吸着可能にすることで、マグネットの吸着力により容易に蓋体３２の脱着を行うことができ、表示数字の変更が容易に行うことができるようになっている。
【００３３】
また、蓋体３２を基板２６の表面に吸着させた状態で、蓋体３２の表面と基板２６の表面とが一致できるように、セグメント開口部２８ａ〜２８７ｇの周囲に蓋体３２の厚さに相当する段差部４８を設け、蓋体３２の吸着状態で蓋体３２が目立たないような状態としている。
【００３４】
また、この蓋体３２の表面は、基板２６の表面の色と一致するように、例えば黒色とされるようになっている。
【００３５】
そして、蓋体３２により発光体３０を露出したり、被覆したりして所定の数字を表示するようにしている。
【００３６】
このようにすることで、表示数字を変更するための制御装置が不要で、構造が簡略化でき、製造コストも削減でき、しかも、蓋体３２により発光体３０を露出させたり被覆したりするだけで、表示数字を容易に変更することができ、かつ、発光体３０の発光により道路上を運転中のドライバが容易に視認できるような明瞭な表示を行うことができる。
【００３７】
本発明は、前記実施の形態に限定されるものではなく、本発明の要旨の範囲内において、種々の形態に変形可能である。
【００３８】
例えば、前記実施の形態では、蓋体全体をマグネットにて形成しているが、この例に限らず、蓋体の周囲にマグネットを貼着して表示板の表面に吸着可能にすることも可能である。
【００３９】
また、前記実施の形態では、セグメント開口部の周囲に段差部を形成するようにしているが、この例に限らず、段差部を省略することも可能である。
【００４０】
さらに、前記実施の形態では、発光体として複数のＬＥＤを樹脂で封入するようにしたものを用いているが、この例に限らず、樹脂プレートの裏側に基板に取り付けられた複数のＬＥＤを配置するようにすることも可能である。
【００４１】
また、前記実施の形態では、表示部として７つのセグメントを有するものについて説明したが、セグメントの数は７つに限定されるものではなく、その数は表示対応に応じて種々変更することが可能である。
【００４２】
さらに、前記実施の形態では、ガソリンの単価を表示する表示装置として用いられているが、この例に限らず、価格等の数字を表示する表示装置であれば、種々の用途に用いることが可能である。
【図面の簡単な説明】
【００４３】
【図１】本発明の一実施の形態に係る表示装置をガソリンスタンドの価格表示用看板として用いた状態を示す斜視図である。
【図２】図１のII−II線に沿う断面図である。
【図３】図１の表示部の拡大斜視図である。
【符号の説明】
【００４４】
１０  表示装置
１２  スタンド
２０  表示用箱体
２２  表示部
２４ａ〜２４ｇ  セグメント
２６  基板
２８ａ〜２８ｇ  セグメント開口部
３０  発光体
３２  蓋体
３６  ＬＥＤ
【図１】
2005128058.tif 000003
【図２】
2005128058.tif 000004
【図３】
2005128058.tif 000005